(57)【要約】【課題】  ユーザが日々日記をつける感覚でウエブサーバに画像、コメントを自由な形でアップロードすることができる画像日記作成公開システムを提供する。【解決手段】  制御手段６６がＲＯＭ６７に格納されたソフトにしたがって、アップロードされた画像、コメントに対してアップロード単位及びユーザ単位でアップロード日時毎に参照可能にするページを自動的に生成するので、画像、コメントがアップロード単位及びユーザ単位で整理されるためウエブサーバ上でアルバムを編集する必要がなく、アップロードするユーザもウエブサーバが編集作業をすることによるアップロードの際の煩雑な操作を要求されなくてすむ。さらに、日時毎の参照が可能になることにより公開される画像、コメントをユーザの日記のような感覚で第三者等が参照することができる。【選択図】  図１
2005084901.tif 000002
【特許請求の範囲】
【請求項１】
ネットワークを介してユーザ端末と接続され、かつユーザ端末から個人の日記に関してアップロードされる画像、コメントを受け付ける受付手段と、当該受け付けた画像、コメントを蓄積保存する蓄積保存手段と、当該画像、コメントを一定条件の下、ウエブ上で公開する公開手段とを有する画像日記作成公開システムであって、
アップロードされた画像、コメントを、アップロード単位及びユーザ単位でアップロード日時毎に参照可能にするページを自動的に生成する生成手段を有する画像日記作成公開システム。
【請求項２】
前記受付手段は、コメントのみのアップロードを受け付けることができる請求項１の画像日記作成公開システム。
【請求項３】
前記受付手段は、１回のアップロードにおいて複数画像を受け付けることができる請求項１の画像日記作成公開システム。
【請求項４】
前記生成手段は、１ユーザについてテーマ単位の日記のページを生成することができる請求項１の画像日記作成公開システム。
【請求項５】
前記生成手段は、１ユーザについて複数テーマの日記のページを生成することができる請求項４の画像日記作成公開システム。
【請求項６】
前記公開手段は、ユーザ単位のページを公開することができる請求項１の画像日記作成公開システム。
【請求項７】
前記公開手段は、テーマ単位のページを公開することができる請求項４の画像日記作成公開システム。
【発明の詳細な説明】
【技術分野】
【０００１】
本発明は画像日記作成公開システムに係り、特に、パソコン、携帯電話等のユーザ端末からネットワークを経由して個人等の画像、コメントをサーバにアップロードしてウエブ上で個人日記として作成、公開する画像日記作成公開システムに関する。
【背景技術】
【０００２】
インターネットなどのネットワークが普及した現在、個人のホームページを容易に作成して公開することが可能になってきており、これに伴って個人の日々の所感を日記的にホームページに公開したいと思う人々が多くなってきている。
【０００３】
また、インターネット上のサーバにユーザ端末から画像をアップロードし、個人アルバムを容易に作成、公開するサービス（例えば、本出願人提供の下記非特許文献１の”デジタルフォトダイアリー”、本出願人提供の下記非特許文献２の”デジタルフォトコレクション”）が普及している。
【０００４】
しかし、これらのサービスは、一度にアップロードした画像に対し、ウエブサーバ上でアルバムを編集しなければならないため、その編集に対応するように家庭のパソコン上、あるいは携帯電話等簡易な端末上での操作がまだまだ困難なものになっている。
【０００５】
また、下記特許文献１では、知人に近況を報告する写真集システムが開示されているが、掲載画像を登録／変更するたびに知人・友人に知らせることが主となり、日々日記を作成するようホームページを更新し、公開することは困難である。
【非特許文献１】”デジタルフォトダイアリー”、富士写真フイルム株式会社提供、平成１５年８月２８日検索、インターネット＜ＵＲＬ：http://www2.photosqu are.jp/diary2/index.jsp ＞
【非特許文献２】”デジタルフォトコレクション”、富士写真フイルム株式会社提供、平成１５年８月２８日検索、インターネット＜ＵＲＬ：http://collection.photosquare.jp/ ＞
【特許文献１】特開２００１−２２９１２４号公報
【発明の開示】
【発明が解決しようとする課題】
【０００６】
本発明は、上記の事実を考慮し、ユーザが日々日記をつける感覚でウエブサーバに画像、コメントを自由な形でアップロードすることができる画像日記作成公開システムを提供することを目的とする。
【課題を解決するための手段】
【０００７】
本発明は、ネットワークを介してユーザ端末と接続され、かつユーザ端末から個人の日記に関してアップロードされる画像、コメントを受け付ける受付手段と、当該受け付けた画像、コメントを蓄積保存する蓄積保存手段と、当該画像、コメントを一定条件の下、ウエブ上で公開する公開手段とを有する画像日記作成公開システムであって、
アップロードされた画像、コメントを、アップロード単位及びユーザ単位でアップロード日時毎に参照可能にするページを自動的に生成する生成手段を有する画像日記作成公開システム、からなる。
【０００８】
本発明によれば、生成手段が、アップロードされた画像、コメントに対してアップロード単位及びユーザ単位でアップロード日時毎に参照可能にするページを自動的に生成するので、画像、コメントがアップロード単位及びユーザ単位で整理されるためウエブサーバ上でアルバムを編集する必要がなく、アップロードするユーザもウエブサーバが編集作業をすることによるアップロードの際の煩雑な操作を要求されなくてすむ。さらに、日時毎の参照が可能になることにより公開手段によって公開される画像、コメントをユーザの日記のような感覚で第三者等が参照することができる。
【０００９】
なお、前記受付手段は、コメントのみのアップロードを受け付けることができる。
【００１０】
また、前記受付手段は、１回のアップロードにおいて複数画像を受け付けることができる。
【００１１】
また、前記生成手段は、１ユーザについてテーマ単位の日記のページを生成することができる。
【００１２】
さらに、前記生成手段は、１ユーザについて複数テーマの日記のページを生成することができる。
【００１３】
また、前記公開手段は、ユーザ単位のページを公開することができる。
【００１４】
さらに、前記公開手段は、テーマ単位のページを公開することができる。
【発明の効果】
【００１５】
本発明によれば、ユーザが自分の日記そのままの形態で画像等を自由な形でアップロードすることができ、第三者も公開された画像、コメントを日記感覚でウエブ上で参照することができる。
【発明を実施するための最良の形態】
【００１６】
以下、添付図面に従って本発明の実施の形態を詳説する。
【００１７】
本実施の形態では、ユーザ通信端末がインターネット回線を介してウエブサーバと接続して、ユーザの通信端末から文字や画像をウエブサーバに送信したり、ユーザの通信端末から送信された文字や画像をウエブサーバが掲示したり、ウエブサーバがユーザの通信端末に文字や画像を配信したりするウエブ文字画像活用サイトを例にとって説明する。
【００１８】
ユーザ通信端末５０、ウエブサーバ５２の構成を図１に示す。ユーザ通信端末５０とウエブサーバ５２とはインターネット回線を介して接続している。
【００１９】
ユーザ通信端末５０は、ＲＯＭ５４、送受信手段６０、メモリ６２、表示装置５８、入力装置７０がそれぞれＣＰＵ５６と接続した構成になっている。
【００２０】
ＲＯＭ５４にはウエブ文字画像活用サイトを利用するためのアプリケーションであるクライアントアプリケーション、及びデータを表示させるためのブラウザが格納されている。送受信手段６０はインターネット回線と接続しており、ウエブサーバ５２へ文字、画像のデータを送信したりウエブサーバ５２から文字、画像のデータを受信したりする。メモリ６２は文字、画像のデータを一時的に格納する。表示装置５８はＲＯＭ５４に格納されているブラウザによって送受信データを表示する。
【００２１】
ウエブサーバ５２は、送受信手段６４、メモリ６５、ＲＯＭ６７、データベース６８が制御手段６６と接続した構成になっている。送受信手段６４はインターネット回線と接続しており、ユーザ通信端末５０へデータを送信したりユーザ通信端末５０からデータを受信したりする。メモリ６５は一時的にデータを保管しておくところである。ＲＯＭ６７は日記のページを生成するソフトや公開のためのソフト、文字・画像調整ソフト等を格納している。データベース６８は、ウエブコンテンツ、メニュー登録フォーム、各種生成されたメニューファイルなどを格納している。
【００２２】
クライアントアプリケーションでは入力装置７０から入力された情報に基づいてＣＰＵ５６の制御指令により定められた処理が行われる。
【００２３】
ウエブサーバ５２ではクライアントアプリケーションから送られてくる処理されたデータを受け取り、制御手段６６の指令によりＲＯＭ６７に格納されたソフトに従ってメモリ６５に保管されたデータやデータベース６８に蓄積保存されたデータの処理を行う。ユーザが閲覧する場合も、ユーザの閲覧請求に応じてＲＯＭ６７に格納された公開のためのソフトが制御手段６６の指令により稼動し、データベース６８等に蓄積保存されたデータの処理を行う。
【００２４】
次に、ユーザ通信端末５０から、個人の日記の形態での画像データ及び／又はその画像について解説したコメントとしての文字データを、ウエブサーバ５２に投稿（すなわち、アップロード）する工程を説明する。図２は、日記を投稿する際のウエブサーバ５２での工程を示したフローチャートである。
【００２５】
まず、ユーザが、ユーザ通信端末５０からインターネット回線を介してウエブサーバ５２の投稿サービスサイトにアクセスし、ウエブサーバ５２はそのアクセスを受ける（ステップ８０）。
【００２６】
投稿できるのは、投稿サービスサイトに会員登録したユーザに限るので、サーバ５２ではアクセスがあったときにユーザＩＤの入力又は初めての投稿者であることの意思表示を要求する（ステップ８２）。
【００２７】
初めての投稿者であることの意思表示を行なった場合は、会員登録の手続きをユーザに要求し、サーバ５２に対してユーザが行った会員登録の手続きを受け付ける（ステップ８４）。サーバ５２が会員登録の手続きを行うとサーバ５２はユーザＩＤを発行する（ステップ８６）。
【００２８】
サーバ５２は、ユーザＩＤを発行すると、ユーザが画像、コメントを投稿できる日記帳を作成する（ステップ８８）。日記帳には、日記帳のタイトル（例えば、「パンダさんの山小屋日記」、「桃太郎の冒険日記」など）がユーザの入力により設定され、日記のテーマ又はカテゴリー（例えば、「家族」、「ペット」など）がユーザの選択により設定され、その日記帳専用のＵＲＬがサーバ５２により付与される。
【００２９】
日記帳が作成されると、ユーザは、画像、コメント、画像＋コメントを日々任意にサーバ５２に投稿する（ステップ９６）。投稿された内容（画像、コメント、画像＋コメント）は、一旦メモリ６５に格納された後、制御手段６６によってそのアップロード単位かつユーザ単位でアップロード日時毎にサーバ５２のデータベース６８で蓄積保存される。このとき、画像は複数であってもよい。
【００３０】
ステップ８２でユーザＩＤの入力を行なった場合は、ユーザＩＤにてサーバ５２にログインする（ステップ９０）。
【００３１】
その後、サーバ５２に登録してある日記帳をユーザが操作して選び、投稿しようとする日記帳がサーバ５２において選択される（ステップ９２）。すなわち、一人で複数の日記帳を持つことができるので、まずどの日記帳に「画像」、「コメント」を投稿するかを選ぶ必要がある。一人がテーマ別に複数の日記帳を作成することもできる。ここで、新しい日記帳を作成するかどうかをサーバ５２がユーザに尋ねる（ステップ９４）。ユーザが作成を希望する場合は、ステップ８８に移行する。ユーザが新しい日記帳の作成を希望しない場合は、ステップ９６に移行する。
【００３２】
ステップ９６でユーザが投稿した後は、その投稿内容を公開してよいものかどうかユーザが選択し、その選択結果によって投稿内容のデータベース６８での格納場所が変わる（ステップ９７）。
【００３３】
公開ＯＫならば、投稿内容をデータベース６８の公開フォルダへ格納し（ステップ９８）、公開ＯＫでないならば、投稿内容をデータベース６８の非公開フォルダへ格納する（ステップ９９）。
【００３４】
データベース６８に蓄積保存される日記データのうち、画像、コメント以外の管理情報の構造を説明する。図３は、日記データの管理情報の構造を示した図である。
【００３５】
データベース６８で蓄積保存される管理情報は、個人情報、日記情報、投稿情報である。個人情報は、ユーザＩＤ、氏名、ユーザメールアドレスからなる。日記情報は、日記ＩＤ、ユーザＩＤ、日記名、テーマからなる。投稿情報は、投稿ＩＤ、投稿日時、日記ＩＤ、投稿データ数からなる。
【００３６】
なお、画像データ、コメントデータを含む投稿内容データは、投稿ＩＤ、投稿日時に紐付けされるフォルダにて管理される。すなわち、投稿ＩＤからなるフォルダには投稿日時からなるフォルダがぶら下がり、投稿日時からなるフォルダには投稿内容データ（画像データ、コメントデータ）がぶら下がっている。画像データは、図３中、aaa.jpg,ccc.jpg で示されるデータであり、コメントデータは、bbb.txt,ccc.txt で示されるデータである。このように、コメントだけのデータも蓄積保存可能である。
【００３７】
データベース６８に蓄積保存された日記データの閲覧工程を説明する。図４は、日記データの閲覧工程を示したフローチャートである。
【００３８】
まず、ユーザが、ユーザ通信端末５０からインターネット回線を介してウエブサーバ５２の閲覧サービスサイトにアクセスし、ウエブサーバ５２はそのアクセスを受ける（ステップ１００）。
【００３９】
閲覧できるのは、投稿サービスサイトに会員登録したユーザに限らず、誰でもできる。ただし、公開の対象となるのは投稿者が公開ＯＫにした、公開フォルダへ格納された投稿内容に限られる。
【００４０】
閲覧者は、まず自分の日記を見るかどうか選択する（ステップ１０２）。自分の日記を見る場合には、日記毎に見るかどうか選択する（ステップ１０４）。日記毎に見る場合は、閲覧する日記を選択する（ステップ１０６）。そして、該当する日記を日付毎に閲覧する（ステップ１０８）。
【００４１】
ステップ１０４で、日記毎に見ない場合は、全ての日記を日付毎に閲覧する（ステップ１１０）。
【００４２】
ステップ１０２で、自分の日記を見ない場合は、人で探すか（ステップ１１２）、テーマで探すか（ステップ１１８）、日付で探すか（ステップ１２４）を選択する。
【００４３】
日記データは、上述のように、個人情報で氏名、日記情報でテーマ、投稿情報で投稿日時がそれぞれデータベース管理されているので、氏名別、テーマ別、日付別で検索することができる。
【００４４】
人で探す場合は（ステップ１１２）、人（投稿者）を選択し（ステップ１１４）、該当の人の日記を閲覧する（ステップ１１６）。
【００４５】
テーマで探す場合は（ステップ１１８）、テーマを選択し（ステップ１２０）、該当テーマの日記を閲覧する（ステップ１２２）。
【００４６】
日付で探す場合は（ステップ１２４）、日にちを選択し（ステップ１２６）、該当日の日記を閲覧する（ステップ１２８）。
【００４７】
次に、ユーザがサーバ５２に実際にアクセスしたときのユーザ通信端末５０の表示装置５８に表示される画面を説明する。ユーザは、この画面に従って操作する。図５は、ユーザ通信端末５０の表示装置５８に表示される画面を示した図である。
【００４８】
まず、サーバ５２にアクセスすると最初の画面１３０がでてくる。ここで、公開フローであるコミュニティサイトに行くか、非公開フローであるＰｈｏｔｏ  Ｄｉａｒｙサイトに行くか、ユーザが選択する。
【００４９】
他人の日記を見るときはコミュニティサイトを選択することになるが、このサイトを選択すると、コミュニティＴＯＰページ１３２が表示される。ここで、Ｐｈｏｔｏ  Ｄｉａｒｙをクリックすると、Ｐｈｏｔｏ  Ｄｉａｒｙ表示画面１３４が表示される。そこでは、例えば「今週の日記ＢＥＳＴ１０」のリストが表示され、ＢＥＳＴ１０までの日記のタイトル、日付、画像総数などが表示される。
【００５０】
画面１３４で、ユーザは、テーマで見るか、日付で見るか、選択する。「テーマで見る」を選択すると、テーマ（例えば、「趣味」）ごとに日記がリストアップされる画面１３６に移行する。画面１３６には、日記の投稿日付、作者、画像サムネイル、テーマ、画像数などが表示される。
【００５１】
画面１３６からは、次の年、前の年のリストを見る画面に移行させることができるが、１３６にリストアップされた日記のうち、見たい日記を選択すると、１４４の画面が表示される。
【００５２】
１４４の画面には、選択した日記の日時、作者、画像、コメントが大きく表示される。１４４の画面から次の日の日記、前の日の日記へ移行させることができる。
【００５３】
画面１３４で、ユーザが、「日付で見る」を選択すると、日付がリストアップされる画面１４２が表示される。この画面１４２からも次の月、前の月の画面に移行させることができる。
【００５４】
画面１４２で、見たい日付の日記を指定すると、その日付の日記の詳細が画面１４６のように表示される。画面１４６では、選択した日記の日時、作者、画像、コメントが存在する日記数分かつ表示可能な分だけ表示される。１４６の画面から次の月、前の月の画面に移行させることができる。
【００５５】
１４６の画面においてさらに大きく見たい日記を選択すると、画面１４４に移行することができる。
【００５６】
一方、画面１３０で、自分の日記を投稿する又は見るときは、Ｐｈｏｔｏ  Ｄｉａｒｙサイトを選択することになるが、Ｐｈｏｔｏ  Ｄｉａｒｙサイトに入るには認証手続が必要である。認証手続は、ユーザＩＤを入力してログインする。すると、画面１３８に移行する。
【００５７】
画面１３８では、日記を付けるか（＝投稿するか）、又は日記を見るかを選択する。画面１３８から「日記を見る」場合は、日付で見るか、テーマで見るかを選択し、以降は公開用フローの画面１３４に移行する。
【００５８】
画面１３８で「日記を付ける」を選択した場合は、画面１４０に移行し、日記のテーマを選択し、公開・非公開の別を選択し、写真（画像）、タイトル、コメントを入力する。投稿画像数は１枚でも複数枚でも可能であり、コメント数も１つでも複数でも大丈夫である。もちろん、コメントなしの画像だけでも投稿可能であり、画像なしのコメントだけでも投稿可能であり、コメント＋画像でも投稿可能である。
【００５９】
入力して内容がＯＫであれば、「ＯＫ」ボタンをクリックすると、投稿が完了し、投稿内容がデータベース６８に蓄積保存される。投稿後、内容がＯＫでなければ、「キャンセル」ボタンをクリックして、入力を訂正等する。
【００６０】
上記の画面では、コミュニティサイトで「ユーザ単位」で日記を選択する例を示していないが、画面１３４で「投稿者で見る」選択項目を設けることにより、他人のユーザを指定して日記を閲覧することができる。
【００６１】
本実施の形態により、ユーザが自分の日記を画像だけ、コメントだけ、画像＋コメント、画像を単数・複数、コメントを単数・複数など、自由な形でアップロードすることができ、第三者も公開された画像、コメントを日記感覚でウエブ上で参照することができるので、自由な形での画像日記作成公開システムが達成され、楽しく便利なサイトが利用できる。
【図面の簡単な説明】
【００６２】
【図１】ユーザ通信端末、ウエブサーバの構成を示した図。
【図２】日記を投稿する際のウエブサーバでの工程を示したフローチャート。
【図３】日記データの管理情報の構造を示した図。
【図４】日記データの閲覧工程を示したフローチャート。
【図５】ユーザ通信端末の表示装置に表示される画面を示した図。
【符号の説明】
【００６３】
５０・・・ ユーザ通信端末、５２・・・ ウエブサーバ、５４・・・ ＲＯＭ、５６・・・ ＣＰＵ、５８・・・ 表示装置、６０・・・ 送受信手段、６２・・・ メモリ、６４・・・ 送受信手段、６５・・・ メモリ、６６・・・ 制御手段、６７・・・ ＲＯＭ、６８・・・ データベース、７０・・・ 入力装置
【図１】
2005084901.tif 000003
【図２】
2005084901.tif 000004
【図３】
2005084901.tif 000005
【図４】
2005084901.tif 000006
【図５】
2005084901.tif 000007